【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
バッテリーと、第１のトランシーバと第２のトランシーバとを備えるユーザ機器（ＵＥ）を使用するワイヤレス通信の方法であって、前記方法は、
前記第２のトランシーバが第２の送信を使用して通信するようにスケジュールされることと同時に、前記第１のトランシーバが第１の送信を使用して通信するようにスケジュールされると決定することと、
前記トランシーバの同時送信によるバッテリー電圧ドループを緩和するために前記第１のトランシーバと前記第２のトランシーバとのうちの少なくとも１つの動作を変更することと、
前記動作が同時送信の瞬間ごとに電力制御行列に基づいて変更されると決定することと
を備え、
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、
方法。
【請求項２】
前記第１のトランシーバと前記第２のトランシーバとのうちの少なくとも１つの前記動作を前記変更することが、同時送信による比吸収率を低減するために前記トランシーバのうちの少なくとも１つの送信を控えることを備える、請求項１に記載の方法。
【請求項３】
前記第１のトランシーバと前記第２のトランシーバとのうちの少なくとも１つの前記動作を前記変更することが、同時送信による前記ＵＥの過熱を緩和するために前記トランシーバのうちの少なくとも１つの送信を控えることを備える、請求項１に記載の方法。
【請求項４】
前記第１のトランシーバと前記第２のトランシーバとのうちの少なくとも１つの前記動作を前記変更することが、前記送信の電力を低減するために、前記送信を時間的にシフトするために、または前記送信を控えるために、前記トランシーバのうちの少なくとも１つの送信を変更することを備える、請求項１に記載の方法。
【請求項５】
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、請求項１に記載の方法。
【請求項６】
前記第１のトランシーバと前記第２のトランシーバとのうちの少なくとも１つの前記動作を前記変更することが、前記第１のトランシーバと前記第２のトランシーバとのそれぞれの送信電力を、電力バジェットを超えないそれらの合成送信電力を制限するように調整することを備える、請求項１に記載の方法。
【請求項７】
それぞれの送信電力を前記調整することが、前記トランシーバのそれぞれの優先度と前記電力バジェットとに基づいて前記トランシーバの前記送信電力を調整することを備える、請求項６に記載の方法。
【請求項８】
前記トランシーバの前記送信電力を前記調整することが、それらの優先度に基づいて前記トランシーバに前記電力バジェットのそれぞれの部分を割り振ることを備える、請求項７に記載の方法。
【請求項９】
バッテリーと、
第１のトランシーバおよび第２のトランシーバと、
前記第２のトランシーバが第２の接続を使用して通信するようにスケジュールされることと同時に、前記第１のトランシーバが第１の接続を使用して通信するようにスケジュールされると決定するための手段と、
前記トランシーバの同時接続によるバッテリー電圧ドループを緩和するために前記第１のトランシーバと前記第２のトランシーバとのうちの少なくとも１つの動作を変更するための手段と、
前記動作が同時送信の瞬間ごとに電力制御行列に基づいて変更されると決定するための手段と
を備え、
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、
ワイヤレス通信のための装置。
【請求項１０】
前記動作を変更するための前記手段が、同時送信による比吸収率を低減するために前記トランシーバのうちの少なくとも１つの送信を控えるように構成された、請求項９に記載の装置。
【請求項１１】
前記動作を変更するための前記手段が、同時送信による前記装置の過熱を緩和するために前記トランシーバのうちの少なくとも１つの送信を控えるように構成された、請求項９に記載の装置。
【請求項１２】
前記第１のトランシーバと前記第２のトランシーバとのうちの少なくとも１つの前記動作を変更するための前記手段が、前記送信の電力を低減するために、前記送信を時間的にシフトするために、または前記送信を控えるために、前記トランシーバのうちの少なくとも１つの送信を変更するための手段を備える、請求項９に記載の装置。
【請求項１３】
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、請求項９に記載の装置。
【請求項１４】
前記第１のトランシーバと前記第２のトランシーバとのうちの少なくとも１つの前記動作を変更するための前記手段が、前記第１のトランシーバと前記第２のトランシーバとのそれぞれの送信電力を、電力バジェットを超えないそれらの合成送信電力を制限するように調整するための手段を備える、請求項９に記載の装置。
【請求項１５】
それぞれの送信電力を調整するための前記手段が、前記トランシーバのそれぞれの優先度と前記電力バジェットとに基づいて前記トランシーバの前記送信電力を調整するための手段を備える、請求項１４に記載の装置。
【請求項１６】
前記トランシーバの前記送信電力を調整するための前記手段が、それらの優先度に基づいて前記トランシーバに前記電力バジェットのそれぞれの部分を割り振るための手段を備える、請求項１５に記載の装置。
【請求項１７】
ユーザ機器（ＵＥ）に、
前記ＵＥの第２のトランシーバが第２の送信を使用して通信するようにスケジュールされることと同時に、前記ＵＥの第１のトランシーバが第１の送信を使用して通信するようにスケジュールされると決定することと、
前記トランシーバの同時送信による前記ＵＥのバッテリーのバッテリー電圧ドループを緩和するために前記第１のトランシーバと前記第２のトランシーバとのうちの少なくとも１つの動作を変更することと、
前記動作が同時送信の瞬間ごとに電力制御行列に基づいて変更されると決定することと
を行わせるためのコードを備える非一時的コンピュータ可読記憶媒体を備え、
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、
コンピュータプログラム製品。
【請求項１８】
前記ＵＥに前記動作を変更させるための前記コードが、前記ＵＥに、同時送信による比吸収率を低減するために前記トランシーバのうちの少なくとも１つの送信を控えさせるためのコードを備える、請求項１７に記載のコンピュータプログラム製品。
【請求項１９】
前記ＵＥに前記動作を変更させるための前記コードが、前記ＵＥに、同時送信による前記ＵＥの過熱を緩和するために前記トランシーバのうちの少なくとも１つの送信を控えさせるためのコードを備える、請求項１７に記載のコンピュータプログラム製品。
【請求項２０】
前記ＵＥに前記動作を変更させるための前記コードが、前記ＵＥに、前記送信の電力を低減するために、前記送信を時間的にシフトするために、または前記送信を控えるために、前記トランシーバのうちの少なくとも１つの送信を変更させるためのコードを備える、請求項１７に記載のコンピュータプログラム製品。
【請求項２１】
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、請求項１７に記載のコンピュータプログラム製品。
【請求項２２】
前記ＵＥに前記動作を変更させるための前記コードが、前記ＵＥに、前記第１のトランシーバと前記第２のトランシーバとのそれぞれの送信電力を、電力バジェットを超えないそれらの合成送信電力を制限するように調整させるためのコードを備える、請求項１７に記載のコンピュータプログラム製品。
【請求項２３】
前記ＵＥにそれぞれの送信電力を調整させるための前記コードが、前記ＵＥに、前記トランシーバのそれぞれの優先度と前記電力バジェットとに基づいて前記トランシーバの前記送信電力を調整させるためのコードを備える、請求項２２に記載のコンピュータプログラム製品。
【請求項２４】
前記ＵＥに前記トランシーバの前記送信電力を調整させるための前記コードが、前記ＵＥに、それらの優先度に基づいて前記トランシーバに前記電力バジェットのそれぞれの部分を割り振らせるためのコードを備える、請求項２３に記載のコンピュータプログラム製品。
【請求項２５】
バッテリーと、
少なくとも１つのプロセッサと、
前記少なくとも１つのプロセッサに両方とも結合された第１のトランシーバと第２のトランシーバとを備える通信インターフェースと、
前記少なくとも１つのプロセッサに結合されたメモリと
を備え、
ここにおいて、前記少なくとも１つのプロセッサは、
前記第２のトランシーバが第２の送信を使用して通信するようにスケジュールされることと同時に、前記第１のトランシーバが第１の送信を使用して通信するようにスケジュールされると決定することと、
前記トランシーバの同時送信によるバッテリー電力ドループを緩和するために前記第１のトランシーバと前記第２のトランシーバとのうちの少なくとも１つの動作を変更することと、
前記動作が同時送信の瞬間ごとに電力制御行列に基づいて変更されると決定することと
を行うように構成され、
前記電力制御行列が同時送信中の前記第１のトランシーバと前記第２のトランシーバとの動作状態を備え、前記動作状態が、アイドル状態と、回線交換（ＣＳ）接続状態と、パケット交換（ＰＳ）接続状態と、二重転送モード（ＤＴＭ）接続状態とを備える、
ワイヤレス通信のための装置。
【請求項２６】
前記少なくとも１つのプロセッサが、同時送信による比吸収率を低減するために前記トランシーバのうちの少なくとも１つの送信を控えるようにさらに構成された、請求項２５に記載の装置。
【請求項２７】
前記少なくとも１つのプロセッサが、同時送信による前記装置の過熱を緩和するために前記トランシーバのうちの少なくとも１つの送信を控えるようにさらに構成された、請求項２５に記載の装置。
【請求項２８】
前記少なくとも１つのプロセッサが、前記送信の電力を低減するために、前記送信を時間的にシフトするために、または前記送信を控えるために、前記トランシーバのうちの少なくとも１つの送信を変更するようにさらに構成された、請求項２５に記載の装置。
【請求項２９】
前記電力制御行列が、同時送信中に前記第１のトランシーバと前記第２のトランシーバとによって利用されるべきチャネルを備え、前記チャネルが、ランダムアクセスチャネル（ＲＡＣＨ）と、トラフィックチャネル（ＴＣＨ）と、低速付随制御チャネル（ＳＡＣＣＨ）と、スタンドアロン専用制御チャネル（ＳＤＣＣＨ）と、高速付随制御チャネル（ＦＡＣＣＨ）と、パケット専用チャネル（ＰＤＣＨ）と、パケット付随制御チャネル（ＰＡＣＣＨ）とのうちの１つまたは複数を備える、請求項２５に記載の装置。
【請求項３０】
前記少なくとも１つのプロセッサが、前記第１のトランシーバと前記第２のトランシーバとのそれぞれの送信電力を、電力バジェットを超えないそれらの合成送信電力を制限するように調整するようにさらに構成された、請求項２５に記載の装置。
【請求項３１】
前記少なくとも１つのプロセッサが、前記トランシーバのそれぞれの優先度と前記電力バジェットとに基づいて前記トランシーバの前記送信電力を調整するようにさらに構成された、請求項３０に記載の装置。
【請求項３２】
前記少なくとも１つのプロセッサが、それらの優先度に基づいて前記トランシーバに前記電力バジェットのそれぞれの部分を割り振るようにさらに構成された、請求項３１に記載の装置。